(57)【要約】【課題】時刻やその他の所望の情報を表示でき、表面に凹凸がなくて安全性に優れ、視認性が良好で、室内の雰囲気に調和して快適な空間演出を損なうことがなく、大きな設置スペースを必要としない、ベッドを提供する。【解決手段】本発明のベッドは、ベッド本体９と、該ベッド本体９の前端部に立設されるヘッドボード２と、からなるベッドであって、該ヘッドボード２は、ボード本体３と、該ボード本体３内に収納され電源オン時に情報を表示し電源オフ時には視認されない情報表示手段（例えば時刻表示部４）と、表示された該情報を視認可能に透過する半透過性のボード表装材６と、を備えることを特徴とする。前記情報表示手段はＬＥＤ表示器４２であることが好ましい。前記情報は時刻情報であってもよい。前記ボード表装材６は、前記ボード本体３の一面を覆い、突板とアクリル製透明板とが積層されてなることでもよい。【選択図】図１
2006230724.tif 000002
【特許請求の範囲】
【請求項１】
ベッド本体と、該ベッド本体の前端部に立設されるヘッドボードおよび／または該ベッド本体の後端部に立設されるフットボードと、からなるベッドであって、
該ヘッドボードまたは該フットボードは、ボード本体と、該ボード本体内に収納され電源オン時に情報を表示し電源オフ時には視認されない情報表示手段と、表示された該情報を視認可能に透過する半透過性のボード表装材と、を備えることを特徴とするベッド。
【請求項２】
前記情報表示手段はＬＥＤ表示器である請求項１に記載のベッド。
【請求項３】
前記情報は時刻情報である請求項１または２に記載のベッド。
【請求項４】
前記ボード表装材は、前記ボード本体の一面を覆い、突板と透明板とが積層されてなる請求項１〜３のいずれかに記載のベッド。
【請求項５】
前記透明板はアクリル製である請求項４に記載のベッド。
【発明の詳細な説明】
【技術分野】
【０００１】
本発明はベッドに関し、より詳細にはベッドのヘッドボードあるいはフットボードに関する。
【背景技術】
【０００２】
ベッドは、ただ単に就寝のみを用途とする家具ではなく、設置場所や使用者の好みにより多様な付帯用途をもっている。そして、用途に応じて様々な備品が備えられて、利用に供されている。例えば、特許文献１では、ビジネスホテルなどで宿泊客にくつろげる客室空間を提供する用途のために、背もたれ部材や肘掛部材、さらにはデジタル時計や電気器具のスイッチ、電話などを備えたヘッドボードをもつベッドが開示されている。時計や電話、所持品などを戴置するために、収納部付きのキャビネットタイプのヘッドボードをもつベッドや、別置きのサイドテーブルが利用されることもある。また病院では、患者の氏名や入院日程などの情報が、ベッドの脇に掲示される場合が多い。さらに、患者が視聴覚するテレビやラジオ、手元を照らす照明器具なども、ベッドの周りに付属されることが一般的である。逆に、これらの付帯用途を必要としない場合には、省スペースの観点からシンプルなフラットタイプのヘッドボードが用いられている。
【０００３】
一方、ホテルの客室や病院の病室だけでなく一般家庭の寝室でも快適に睡眠や滞在ができるように、インテリアに工夫が凝らされるようになってきている。例えば、コントロール装置を付属した間接照明が用いられたり、室内が落ち着いた色調に統一されたりして、心地よい空間が演出されている。
【特許文献１】特開２００２−９５５５１公報
【発明の開示】
【発明が解決しようとする課題】
【０００４】
ところで、特許文献１に開示されるヘッドボードでは、時計やスイッチなどを付属する部分が凹凸しているため、睡眠中に頭部や腕、手が当たるおそれが皆無ではなかった。また、時計の時刻表示はベッド上での視認を前提としており、ベッドから離れた状態では確認できない場合があった。さらに、備品類や戴置品が枕元を雑然とさせ、あるいはインテリアの調和を損ない、快適性を低下させていた。一方、キャビネットタイプのヘッドボードや別置きのサイドテーブルは設置スペースをとるため配置が制約され、また室内を狭雑化させていた。病院などでは、ベッドの周囲が整頓され各種情報が見やすく表示されることが重要であり、また文字放送などの表示も要望されていた。
【０００５】
本発明は、上記背景に鑑みてなされたものであり、時刻やその他の所望の情報を表示でき、表面に凹凸がなくて安全性に優れ、視認性が良好で、室内の雰囲気に調和して快適な空間演出を損なうことがなく、大きな設置スペースを必要としない、ベッドを提供する。
【課題を解決するための手段】
【０００６】
本発明のベッドは、ベッド本体と、該ベッド本体の前端部に立設されるヘッドボードおよび／または該ベッド本体の後端部に立設されるフットボードと、からなるベッドであって、該ヘッドボードまたは該フットボードは、ボード本体と、該ボード本体内に収納され電源オン時に情報を表示し電源オフ時には視認されない情報表示手段と、表示された該情報を視認可能に透過する半透過性のボード表装材と、を備えることを特徴とする。前記情報表示手段はＬＥＤ表示器であることが好ましい。前記情報は時刻情報であってもよい。前記ボード表装材は、前記ボード本体の一面を覆い、突板と透明板とが積層されてなることでもよい。前記透明板にはアクリル製などを用いることができる。
【０００７】
本発明のベッドは、ボード本体と情報表示手段とボード表装材とからなるヘッドボードあるいはフットボード（両者を総称してボードと呼ぶ）に特徴がある。ボード本体には、木材など従来と同様の一般的な材質を用いることができ、後で詳述する情報表示手段を収納するために内部に空隙を形成しておく。ボード本体の厚さは、従来のフラットタイプのボードと同等とすることができるが、情報表示手段の大きさに合わせて変更してもよい。
【０００８】
情報表示手段は、所望の情報を所望の大きさで表示する手段である。情報表示手段には、例えばＬＥＤ表示器のように、電源オン時に点灯して情報を表示し、電源オフ時には消灯して見えなくなる装置を適用することができる。表示する情報としては例えば時刻があり、数字を表示する７セグメントのＬＥＤを４桁並べた表示器を適用することができる。情報の種類は、数字に限定されず、文字や記号などあらゆるタイプを含んでいる。そして、情報量にあわせて、必要な解像度を有する表示手段を用いることができる。表示方式も静止表示には限定されず、テレビのテロップ放送のように、表示内容が移動する方式でもよい。また、表示位置は、ベッド上の者から見やすい位置が好ましいが、限定はされずボードの任意の位置とすることができる。
【０００９】
ボード表装材は、ボード本体の外周面のうちで情報表示手段の表示を視認する一面に設けられ、半透過性であることが好ましい。ボード表装材は、例えば美しい材面を有する薄木製の突板と透明なアクリル板とを貼り合わせて形成することができる。突板およびアクリル板の厚さは、表示される情報が十分に透過できる程度に薄いことが必要である。突板のデザインや色は、ベッドの他の部分や室内の他の家具との調和を考慮して選定することができる。例えば、室内の他の家具と統一された濃い木目調とすることで、落ち着いた雰囲気を形成することができる。清潔感のある明るい色は、病院のベッドに好適である。また、アクリル板は透明であり表示の視認には支障なく、厚さを変えることにより所望する強度を確保することができる。
【００１０】
上述のように構成された本発明のベッドは、情報表示手段の電源をオンした時にはボード表装面に情報が浮き出るようにアクリル板と突板を透過し鮮明に表示される。そして、電源をオフした時には表示が消えて、ボードには突板のデザインが視認されるようになり、室内の雰囲気に調和したものとなる。
【００１１】
本発明のベッドは、ホテルの客室用として時刻やメッセージを表示させたり、病院の病室用として患者の氏名や入院日程を表示させる用途に好適である。また、一般家庭用としても、より快適性の高い家具として好適である。さらに表示する情報として文字放送などもあり、適用範囲は広い。
【発明の効果】
【００１２】
本発明のベッドは、ボード内部で表示を行いボードの表面には凹凸がないため、安全性が高く、また、ベッドの周辺は整然としている。時刻などの情報を表示する大きさおよび位置は自由に設計でき、情報は透過し浮き出るように鮮明に表示されるため、視認性は極めてよい。さらに、ボードのデザインは室内の雰囲気と調和しており、快適な空間演出の一助となっている。また、一般的なフラットタイプのボードをもつベッドと同等の設置スペースでよい。
【発明を実施するための最良の形態】
【００１３】
本発明を実施するための最良の形態を、図１〜図３を参考にして詳細に説明する。図１は本発明の実施例のベッド１を示す説明図であり、（ａ）は側面から見た図、（ｂ）は後端部側から見た図である。実施例のベッド１は、ベッド本体９とその前端部に立設されるヘッドボード２とで構成されている。ベッド本体９は、マットレス９１と、マットレス９１を戴置する台座９２と、台座９２の後端部下側に設けられた２つの後脚９３とからなっている。就寝者およびベッド１の荷重は、ヘッドボード２と後脚９３により支えられている。
【００１４】
ヘッドボード２は、ボード本体３と、情報表示手段に相当する時刻表示部４および時刻操作部５と、ボード表装材６とで構成されている。ボード本体３には木材などの堅牢な材料が使用され、図１（ｂ）に示されるように右上部分に時刻表示部４が設けられている。図２はヘッドボード２の時刻表示部４の付近を示す拡大図であり、（ａ）はベッド１の後端部側から見た時刻表示部４の正面を、（ｂ）はベッド１の側面からみた時刻表示部４の断面を、それぞれ示している。
【００１５】
時刻表示部４は、ボード本体３のベッド本体９に当接する側の横面の右上部分に形成される空隙３１に収納されている。時刻表示部４の４隅には固定座４１が設けられ、金具４０を介してヘッドボード２にビス止めで固定されている。時刻表示部４は、７セグメントの時間表示部２桁と分表示部２桁、および時間と分の区切りのコロン表示部からなるＬＥＤ表示器４２をもっている。ＬＥＤ表示器４２はベッド１の後端方向を向いており、ベッド１上に起居する者が表示を視認できるようになっている。ＬＥＤ表示器４２の視認される側の一面には、ボード表装材６が設けられている。ボード表装材６は、薄木製の突板を外側に、透明なアクリル板を内側にして、貼り合わせて形成されている。突板と透明なアクリル板とは、ＬＥＤ表示器４２が点灯したときに発する光を透過できる薄さとされている。また、突板のデザインは、ヘッドボード２の全周面と共通になっている。なお、ボード表装材６としては、例えば特開２００４−２１３９６４号公報に開示される積層突板シートを採用することができる。
【００１６】
時刻操作部５は、図１（ｂ）に示されるようにヘッドボード２の右上面に設けられている。時刻操作部５は、図３に示されるように、表示オン／オフスイッチ５１、アラームオン／オフスイッチ５２、現在時刻設定ボタン５３、アラーム時刻設定ボタン５４、アラーム時間設定ボタン５５、アラーム分設定ボタン５６、アラーム停止ボタン５７をもっている。そして、表示オン／オフスイッチ５１がオンされるとＬＥＤ表示器４２が点灯して、時刻を表示するようになっている。また、表示オン／オフスイッチ５１がオフされるとＬＥＤ表示器４２が消灯するようになっている。その他のスイッチおよびボタン５２〜５７は、一般的な目覚時計と同様に、アラーム機能のオン／オフや、表示の切り替え、時刻設定などの機能をもっている。
【００１７】
実施例のベッド１によれば、ＬＥＤ表示器４２が点灯している時には、ヘッドボード２には時刻が大きく鮮明に表示される。このため、ベッド１から離れても時刻を視認することができ、視認性はきわめて良好である。ＬＥＤ表示器４２が消灯している時には表示は見えず、突き板のデザインがそのまま視認される。したがって、時刻表示部４が始めから設けられていない場合と同様に、雰囲気に調和した外観が視認されることになる。また、ヘッドボード２の表面には凹凸はなく、ベッド１の枕元付近は整然としており、安全性が高い。
【図面の簡単な説明】
【００１８】
【図１】本発明の実施例のベッドを示す説明図であり、（ａ）は側面から見た図、（ｂ）は後端部側から見た図である。
【図２】図１の実施例において、時刻表示部の付近を示す拡大図であり、（ａ）は後端部側から見た時刻表示部の正面を、（ｂ）は側面からみた時刻表示部の断面を、それぞれ示している。
【図３】図１の実施例において、ヘッドボードの右上面に設けられた時刻操作部を示す拡大図である。
【符号の説明】
【００１９】
１：ベッド
２：ヘッドボード
３：ボード本体        ３１：空隙
４：時刻表示部
４０：金具        ４１：取付座    ４２：ＬＥＤ表示器
５：時刻操作部
５１：表示オン／オフスイッチ      ５２：アラームオン／オフスイッチ
５３：現在時刻設定ボタン          ５４：アラーム時刻設定ボタン
５５：アラーム時間設定ボタン      ５６：アラーム分設定ボタン
５７：アラーム停止ボタン
６：ボード表装材
９：ベッド本体
９１：マットレス  ９２：台座      ９３：後脚
【図１】
2006230724.tif 000003
【図２】
2006230724.tif 000004
【図３】
2006230724.tif 000005